(57)【要約】【課題】  ユーザが希望する特定の位置に自動的にチャプタを設定することのできるデータ記録装置、および、データ記録装置を備えた衛星放送受信装置ならびにテレビ受像機を提供すること。【解決手段】  システム制御回路は、録画が開始されると、一定周期で、チューナを介してＭＰＥＧエンコーダから取得される放送信号に基づく映像データ（以下「受信映像」）と、たとえばハードディスクに記憶された特定の画像データ（以下「記憶画像」という）とを比較する（ステップＳ２）。システム制御回路は、受信映像と記憶画像とが一致したことを検知した場合には（ステップＳ４においてＹＥＳ）、一致した受信映像の位置に、録画開始からの経過時間に基づいてチャプタを設定する（ステップＳ６）。【選択図】        図２
2006172617.tif 000002
【特許請求の範囲】
【請求項１】
映像データを受信するための受信手段と、
前記映像データを格納するための記録手段と、
前記受信手段により受信された前記映像データを、前記記録手段に書き込むための書き込み手段と、
前記記録手段に格納された前記映像データを読み出すための読み出し手段と、
前記記録手段に格納された前記映像データから特定の画像データを設定するための画像設定手段と、
前記画像設定手段により設定された前記特定の画像データを記憶するための記憶手段と、
前記読み出し手段により前記映像データを読み出して、前記映像データと前記特定の画像データとを比較するための画像比較手段と、
前記画像比較手段により前記映像データと前記特定の画像データとが一致していると判断された場合に、前記受信画像データの位置にチャプタを設定するためのチャプタ設定手段とを備える、データ記録装置。
【請求項２】
映像データを格納するための記録手段と、
特定の画像データを記憶するための記憶手段と、
前記映像データと前記特定の画像データとを比較するための画像比較手段と、
前記画像比較手段により前記映像データと前記特定の画像データとが一致していると判断された場合に、前記受信画像データの位置にチャプタを設定するためのチャプタ設定手段とを備える、データ記録装置。
【請求項３】
前記映像データを受信するための受信手段と、
前記受信手段により受信された前記映像データを、前記記録手段に書き込むための書き込み手段とをさらに備え、
前記画像比較手段は、前記書き込み手段により前記映像データが書き込まれる場合に、前記映像データと前記特定の画像データとを比較する、請求項２に記載のデータ記録装置。
【請求項４】
前記記録手段に格納された前記映像データを読み出すための読み出し手段をさらに備え、
前記画像比較手段は、前記読み出し手段により前記映像データが読み出される場合に、前記映像データと前記特定の画像データとを比較する、請求項２に記載のデータ記録装置。
【請求項５】
前記記録手段に格納された前記映像データから前記特定の画像データを設定して前記記憶手段に記憶させるための画像設定手段をさらに備える、請求項２に記載のデータ記録装置。
【請求項６】
請求項２に記載のデータ記録装置を備えた、衛星放送受信装置。
【請求項７】
請求項２に記載のデータ記録装置を備えた、テレビ受像機。
【発明の詳細な説明】
【技術分野】
【０００１】
本発明は、データ記録装置、および、データ記録装置を備えた衛星放送受信装置ならびにテレビ受像機に関し、特に、画像比較による制御を行なうデータ記録装置、および、該データ記録装置を備えた衛星放送受信装置ならびにテレビ受像機に関する。
【背景技術】
【０００２】
従来より、記録した映像データの編集作業を容易にするための提案がなされてきた。
【０００３】
たとえば、特許文献１には、受信した放送信号のうち同一の重複する映像信号をフレーム単位で検出することで番組のＣＭ部分を確実に検出することのできる技術が開示されている。また、特許文献２では、記録された映像情報のタイトル内の部分領域（チャプタ）についてその境界位置を再設定することのできる技術が開示されている。
【特許文献１】特開２０００−７８５２８号公報
【特許文献２】特開２００４−２０８１７２号公報
【発明の開示】
【発明が解決しようとする課題】
【０００４】
特許文献１に開示された技術を用いると、全てのＣＭ開始位置とＣＭ終了位置とにチャプタを設定することができる。また、特許文献２に開示された技術を用いると、一度チャプタが設定されても、その境界位置を微調整することができる。
【０００５】
しかしながら、上記特許文献１および特許文献２を用いても、ユーザが希望する特定の位置に自動的にチャプタを設定することはできない。
【０００６】
本発明は、上記のような問題を解決するためになされたものであって、その目的は、ユーザが希望する特定の位置に自動的にチャプタを設定することのできるデータ記録装置、および、データ記録装置を備えた衛星放送受信装置ならびにテレビ受像機を提供することである。
【課題を解決するための手段】
【０００７】
この発明のある局面に従うデータ記録装置は、映像データを受信するための受信手段と、映像データを格納するための記録手段と、受信手段により受信された映像データを、記録手段に書き込むための書き込み手段と、記録手段に格納された映像データを読み出すための読み出し手段と、記録手段に格納された映像データから特定の画像データを設定するための画像設定手段と、画像設定手段により設定された特定の画像データを記憶するための記憶手段と、読み出し手段により映像データを読み出して、映像データと特定の画像データとを比較するための画像比較手段と、画像比較手段により映像データと特定の画像データとが一致していると判断された場合に、受信画像データの位置にチャプタを設定するためのチャプタ設定手段とを備える。
【０００８】
この発明の他の局面に従うデータ記録装置は、映像データを格納するための記録手段と、特定の画像データを記憶するための記憶手段と、映像データと特定の画像データとを比較するための画像比較手段と、画像比較手段により映像データと特定の画像データとが一致していると判断された場合に、受信画像データの位置にチャプタを設定するためのチャプタ設定手段とを備える。
【０００９】
好ましくは、映像データを受信するための受信手段と、受信手段により受信された映像データを、記録手段に書き込むための書き込み手段とをさらに備え、画像比較手段は、書き込み手段により映像データが書き込まれる場合に、映像データと特定の画像データとを比較する。
【００１０】
好ましくは、記録手段に格納された映像データを読み出すための読み出し手段をさらに備え、画像比較手段は、読み出し手段により映像データが読み出される場合に、映像データと特定の画像データとを比較する。
【００１１】
好ましくは、記録手段に格納された映像データから特定の画像データを設定して記憶手段に記憶させるための画像設定手段をさらに備える。
【００１２】
また、上記データ記録装置を備えた衛星放送受信装置とすることが望ましい。
【００１３】
また、上記データ記録装置を備えたテレビ受像機とすることが望ましい。
【発明の効果】
【００１４】
本発明によると、特定の画像データを記憶しておき、画像比較を行なうことにより、自動的にチャプタを設定することができる。したがって、ユーザが毎回同じ位置にチャプタを設定しなくてはならないという煩わしさを解消することができる。
【発明を実施するための最良の形態】
【００１５】
本発明の実施の形態について図面を参照しながら詳細に説明する。なお、図中同一または相当部分には同一符号を付してその説明は繰返さない。
【００１６】
図１を参照して、本発明の実施の形態に係るデータ記録装置の一態様であるＤＶＤレコーダ１００について説明する。図１は、ＤＶＤレコーダ１００のハードウェア構成を表わすブロック図である。
【００１７】
ＤＶＤレコーダ１００は、データを格納するためのメモリ１１２と、格納されているデータおよび外部から入力される指示に基づいて予め定められた処理を実行するためのシステム制御回路１１０と、外部からユーザの指示の入力を受付けるための操作部１２２と、リモコン信号を受信して所定の制御信号をシステム制御回路１１０に出力するための受光部１２４と、時刻を計測して信号をシステム制御回路１１０に出力するための計時回路１２６と、ＤＶＤレコーダ１００の作動状態を表わす情報を表示するための表示部１２８と、電源部１２９とを含む。なお、表示部１２８に表示される作動状態とは、たとえば、ＤＶＤレコーダにおける時刻情報、番組の録画状態等である。
【００１８】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御回路１１０からの指示に基づいてデジタルデータを格納するためのハードディスク装置１４０と、ＤＶＤ１７２を駆動して、映像音声データを記録したり再生したりするためのＤＶＤ駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納されるハードディスク１４４とを含む。
【００１９】
図２は、本実施の形態に係るＤＶＤレコーダ１００のシステム制御回路１１０が実行するチャプタ設定処理の流れを示すフローチャートである。図２に示す処理は、たとえばアンテナ１９０を介して受信される映像データの録画処理開始とともに実行される処理である。また、この処理は、録画処理が終了されるまで行なわれるものとする。なお、本実施の形態において、映像データはハードディスク１４４に書き込まれるものとして説明する。
【００２０】
ここで、まず、ハードディスク１４４への録画処理について簡単に説明する。ハードディスク装置１４０が駆動されてハードディスク１４４のデータ領域に書き込まれる映像データは、ハードディスク１４４内のシステム管理領域に格納されるタイトル管理テーブルによってタイトルごとに管理される。このタイトル管理テーブルの内容例を図３に示す。
【００２１】
図３を参照して、タイトル管理テーブルは、タイトルごとにタイトル管理データＢｊ（ｊ＝１、２、３、…、ｍ）を有する。タイトル管理データＢｊは、タイトルＤ１，開始アドレスＤ２，終了アドレスＤ３，録画時間長Ｄ４，録画日付Ｄ５，チャンネルＤ６，チャプタ情報Ｄ７を含む。チャプタ情報Ｄ７には、たとえば１フレーム分の画像データの場所を特定するための時間情報が格納される。チャプタ情報Ｄ７に格納される時間情報は、複数であってかまわない。
【００２２】
再び図２を参照して、はじめに、システム制御回路１１０は、一定周期で、ＭＰＥＧエンコーダ１５２から取得される放送信号に基づく映像データ（以下「受信映像」）と、たとえばハードディスク１４４に記憶された特定の画像データ（以下「記憶画像」という）とを比較する（ステップＳ２）。本実施の形態において、ＭＰＥＧエンコーダ１５２から取得される映像データは、ハードディスク装置１４０が駆動されてデータ記録再生ヘッド１４２によってハードディスク１４４に書き込まれる前にメモリ１１２に書き込まれる。したがって、メモリ１１２において、受信映像と記憶画像とを比較する。なお、受信映像をハードディスク１４４に書き込んだ後に、記憶画像と比較することとしてもかまわない。この記憶画像については、後に詳述する。
【００２３】
上記ステップＳ２においては、たとえば、受信映像（動画像）の１フレーム分のデータと記憶画像の１フレーム分のデータとを１対１で重ね合わせ、これらをぼかして比較するものとする。なお、画像比較はこのような方法に限らず、公知の技術を用いて行なうことができる。また、各々の画像データを構成する複数の点の情報を波の情報に変換して比較することとしてもよい。このようにすることにより、受信映像と記憶画像とが完全に一致していない場合でも、同様の画像であるときは一致したと判断することができる。
【００２４】
システム制御回路１１０は、受信映像と記憶画像とが一致したことを検知するまでステップＳ２の処理を繰り返す（ステップＳ４においてＮＯ）。
【００２５】
システム制御回路１１０は、受信画像と記憶画像とが一致したことを検知した場合には（ステップＳ４においてＹＥＳ）、録画開始からの経過時間を図３に示したタイトル管理データＢｊのチャプタ情報Ｄ７に格納する（ステップＳ６）。ステップＳ６の処理の後、再びステップＳ２に戻り、録画処理が終了するまで以上の処理を繰り返す。
【００２６】
このような制御がされることにより、アンテナ１９０およびチューナ１３０を介してＭＰＥＧエンコーダ１５２から得られる受信映像が、記憶画像と一致していた場合には、自動的にその位置にチャプタを設定ことができる。したがって、番組の切れ目、ＣＭの始まり、ＣＭの終わり、あるいはある番組の特定のコーナーの開始などの画像データを記憶画像としておくことにより、ユーザは録画後に毎回チャプタの設定を行なう必要がなくなり簡単にチャプタを設定することができる。また、本実施の形態におけるチャプタ設定処理ではリアルタイムにチャプタ情報Ｄ７を書き込む。したがって、ハードディスク１４４に映像データが書き込まれる場合、録画処理中の巻き戻しや早送りにこのチャプタ情報Ｄ７を利用することもできる。
【００２７】
ここで、記憶画像について説明する。本実施の形態において、記憶画像は、たとえば、ハードディスク１４４やＤＶＤ１７２に格納された映像データから、ユーザにより設定される。図４は、本発明の実施の形態においてシステム制御回路１１０が実行する記憶画像設定処理の流れを示すフローチャートである。なお、図４に示す処理は、ユーザによって、たとえば図示しないリモコン等で記憶画像設定処理が選択された場合に開始される処理である。また、ここでは、記憶画像は、ハードディスク１４４に格納されたタイトル管理テーブルによって管理されるタイトルごとの映像データに基づいて設定されるものとする。
【００２８】
図４を参照して、システム制御回路１１０は、はじめに、タイトル管理データＢｊに基づいて、ハードディスク１４４に格納されている映像データのタイトル一覧を表示させる（ステップＳ１２）。次に、ユーザからタイトルが指定されたか否かを判断する（ステップＳ１４）。システム制御回路１１０は、ユーザによりタイトルが指定されたことを検知するまで待機する（ステップＳ１４においてＮＯ）。
【００２９】
システム制御回路１１０は、タイトルが指定されたことを検知した場合に（ステップＳ１４においてＹＥＳ）、記憶画像設定画面を表示させる（ステップＳ１６）。次に、指定されたタイトルの映像データを再生する（ステップＳ１８）。システム制御回路１１０は、ユーザから画像が指定されたか否かを判断する（ステップＳ２０）。システム制御回路１１０は、ユーザから画像が指定されたことを検知するまで指定されたタイトルの再生を行なう（ステップＳ２０においてＮＯ）。
【００３０】
システム制御回路１１０は、ユーザにより画像が指定されたことを検知すると（ステップＳ２０においてＹＥＳ）、再生を停止する（ステップＳ２２）。そして、指定された画像データを記憶画像としてハードディスク１４４に記憶させる（ステップＳ２４）。ここで、記憶画像として記憶させる画像データは、たとえば、フレーム内符号化されたＩピクチャとしてもよい。以上で、この記憶画像設定処理を終了する。
【００３１】
本実施の形態においては、記憶画像は、ハードディスク１４４の管理領域に記憶されるものとする。また、この記憶画像は、１つに限らず、複数記憶されてもよい。
【００３２】
図５は、図４のステップＳ１６で表示した記憶画像設定画面の一例を示す図である。表示領域３１には、ステップＳ１４で指定されたタイトルのタイトルＤ１のデータが表示される。表示領域３２には、ステップＳ１８で再生される映像が表示される。表示領域３３には、指定されたタイトルのうち、表示領域３２に表示される映像の位置が表示される。
【００３３】
このように記憶画像の設定に記憶画像設定画面を設けることにより、ユーザが簡単に記憶画像を設定することができる。
【００３４】
図５を参照して、ユーザが、テレビ４００の画面に一覧表示されたタイトルの中からたとえば「めざまし番組」を選択したとすると（図４のステップＳ１２）、表示領域３１にはそのタイトル名（タイトルＤ１）が表示される（ステップＳ１６）。ユーザが表示領域３２に再生表示される映像を見ながら、たとえば図示しないリモコンなどで記憶させたい画像を指定する（Ｓ２０）。ここではたとえば「めざまし番組」の占いコーナーが始まる時の画像（「今日の占いＣｏｕｎｔＤｏｗｎ」）を指定する。
【００３５】
このように画像が指定されると表示領域３２の再生が停止され（ステップＳ２２）、再生が停止された位置ＰＧの画像を、記憶画像として記憶させる（ステップＳ２４）。
【００３６】
なお、記憶画像の設定方法は上記の例に限られない。たとえば、ハードディスク１４４に格納された映像データから記憶画像を設定することとしてもかまわない。また、予め設定されたチャプタを利用することとしてもかまわない。また、図示しないリモコンに記憶画像設定専用のボタンを設けることとしてもかまわない。たとえば、ハードディスク１４４やＤＶＤ１７２に格納されている映像データの再生中に、この専用ボタンを押すことにより記憶画像を決定して記憶させることができる。
【００３７】
また、ユーザによらず、予め画像（記憶画像）が記憶されていてもかまわない。また、過去にユーザが所定回数（たとえば３回）他の特定のチャンネルに変えた画像があれば、その画像を記憶画像として記憶することとしてもかまわない。
【００３８】
（変形例）
上述の実施の形態では、録画中リアルタイムにチャプタを設定するものであったが、本発明の実施の形態の変形例では、録画終了後にまとめてチャプタを設定するものである。なお、本発明の実施の形態の変形例においても、上記実施の形態に係るＤＶＤレコーダ１００を用いて説明する。実施の形態の変形例に係るＤＶＤレコーダ１００の構成およびその動作は、上記実施の形態と同様であるのでこれらについての説明は繰り返さない。
【００３９】
この実施の形態の変形例において、図３に示したタイトル管理テーブルによって管理されるタイトル管理データＢｊの、ユーザによる編集項目に、たとえば、チャプタ自動設定という項目を設ける。この場合、ユーザによってタイトルが指定されて、チャプタ自動設定という編集項目が選択されると、本実施の形態の変形例に係るチャプタ設定処理が実行される。
【００４０】
図６は、本実施の形態の変形例に係るＤＶＤレコーダ１００のシステム制御回路１１０が実行するチャプタ設定処理の流れを示すフローチャートである。
【００４１】
図６を参照して、はじめに、システム制御回路１１０は、指定されたタイトルのタイトル管理データＢｊにより管理される映像データ（以下「管理映像」という）と、上述の記憶画像とを比較する（ステップＳ２２）。このステップＳ２２の比較処理の後のステップＳ４およびステップＳ６に示す処理については、上記実施の形態と同様である。
【００４２】
したがって、システム制御回路１１０は、管理映像と記憶画像とが一致したことを検知した場合には（ステップＳ４においてＹＥＳ）、その管理映像の位置を特定するための、たとえば録画開始からの経過時間を指定されたタイトル管理データＢｊのチャプタ情報Ｄ７に格納する（ステップＳ６）。このようにして、録画済のタイトルについてもチャプタの自動設定を行なうことができる。
【００４３】
なお、本発明の実施の形態の変形例において画像比較に用いられる記憶画像も、上記実施の形態と同様に、ユーザによって設定されてもよいし、予め設定されていてもよい。
【００４４】
また、本発明の実施の形態および変形例において、画像比較をすることとしたが、音声信号を比較することにより電源制御を行なうこととしてもよい。
【００４５】
また、本実施の形態において、本発明にかかるデータ記録装置は、ハードディスク装置１４０およびＤＶＤ駆動装置１７０の両方を含む構成としたが、ハードディスク装置１４０だけであってもかまわないし、ＤＶＤ駆動装置１７０だけであってもかまわない。
【００４６】
また、テレビ受像機やセットトップボックスのような衛星放送受信装置（受信コンバータ）にデータ記録装置が内蔵されている構成であってもよい。
【００４７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４８】
【図１】本発明の実施の形態に係るＤＶＤレコーダのハードウェア構成を表わすブロック図である。
【図２】本発明の実施の形態においてシステム制御回路が実行するチャプタ設定処理の流れを示すフローチャートである。
【図３】タイトル管理テーブルの内容例を示す図である。
【図４】本発明の実施の形態においてシステム制御回路が実行する記憶画像設定処理の流れを示すフローチャートである。
【図５】記憶画像設定画面の一例を示す図である。
【図６】本実施の形態の変形例においてシステム制御回路が実行するチャプタ設定処理の流れを示すフローチャートである。
【符号の説明】
【００４９】
１００  ＤＶＤレコーダ、１１０システム制御回路、１１２  メモリ、１１４  ＯＳＤ画像生成回路、１２２  操作部、１２４  受光部、１２６  計時回路、１２８  表示部、１２９  電源部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  ＤＶＤ駆動装置、１７２  ＤＶＤ、１９０  アンテナ、１９２  伝送ケーブル、４００  テレビ。
【図１】
2006172617.tif 000003
【図２】
2006172617.tif 000004
【図３】
2006172617.tif 000005
【図４】
2006172617.tif 000006
【図５】
2006172617.tif 000007
【図６】
2006172617.tif 000008